(57)【要約】【課題】交流整流子電動機における、振動や騒音の低減、産業的価値の改善を図る。【解決手段】ハウジング２は、円筒状の胴部２ｂを有する。ハウジング２は、胴部２ｂに対して、一方に底部２４を含み、他方に開口部２ａを含む。底部２４は、通気孔２３を有する。ハウジング２の内部には、界磁部１３と、電機子１４と、を有する。界磁部１３は、界磁鉄心１１と、界磁巻線１２と、を有する。界磁鉄心１１には、界磁巻線１２が巻装される。界磁鉄心１１は、方形の筒状である。界磁部１３は、ハウジング２の内側に固定される。【選択図】図１
2015136285.tif 000002
【特許請求の範囲】
【請求項１】
界磁鉄心に界磁巻線を巻装した界磁部と、
前記界磁鉄心と向かい合って位置する電機子鉄心と、
前記電機子鉄心に巻装される電機子巻線と、
前記電機子鉄心の軸心を貫通して前記電機子鉄心に固定され、前記軸心方向において、一方を出力軸とするとともに、他方を反出力軸とする回転軸と、
前記回転軸上であって前記電機子鉄心から前記回転軸の軸心方向に沿って離間した位置に固定される整流子と、
を有する電機子と、
前記軸心方向において、前記電機子鉄心を挟んで位置するとともに、前記回転軸を回転自在に支持する、一対の軸受と、
一対の正負極を成し、前記整流子と相対する位置へ開口端を含むとともに、前記軸心とは直交する方向に沿って取り付けられるブラシ保持器と、
前記正負極の各々の前記ブラシ保持器内に挿入され、前記軸心とは直交する方向に沿って移動可能であって、前記開口端を介して前記整流子とは摺動面で接触するブラシと、
前記界磁部と、前記電機子と、前記一対の軸受と、前記ブラシ保持器と、前記ブラシと、を内部に保持するとともに、前記軸心と交差する断面上に開口部を含むハウジングと、前記開口部を覆うエンドブラケットと、を有する筐体と、
を備え、
前記ハウジングと前記エンドブラケットのいずれか一方は、前記ハウジングに前記エンドブラケットを取り付ける取付方向に延伸するとともに、前記取付方向に沿って少なくとも２以上に分割される先端部を含む、複数の切り起こし部を有し、
前記ハウジングと前記エンドブラケットのいずれか他方は、前記複数の切り起こし部のそれぞれが嵌め合わされる挿入孔を有し、
前記切り起こし部のそれぞれが前記挿入孔のそれぞれに嵌め合わされた後、前記切り起こし部のそれぞれは、前記取付方向を軸とするひねり力が加えられたとき、前記先端部が少なくとも２以上に分割されるとともに、分割された前記先端部の各々は前記ひねり力が加えられた方向に傾斜して倒れる、交流整流子電動機。
【請求項２】
前記切り起こし部は、前記取付方向と直交する断面方向において、断面の形状が長方形であり、前記先端部は、前記断面の形状の長方形の中心から前記長方形の外側に傾いて倒れる第１傾倒部と、前記長方形の中心に対して前記第１傾倒部が倒れる方向とは反対側に傾いて倒れる第２傾倒部と、を有し、前記第１傾倒部と前記第２傾倒部とは、それぞれ、前記長方形を形成する長辺成分の一部と、前記長方形を形成する短辺成分と、を含む、請求項１に記載の交流整流子電動機。
【請求項３】
前記軸心と前記長方形の中心とを結ぶ線分が最短となる方向において、前記軸心を中心とする同心円と前記線分とが交差する点に位置する、前記同心円の接線は、前記長方形を形成する長辺との位置関係が平行である、請求項２に記載の交流整流子電動機。
【請求項４】
前記長方形は、第１長辺と第２長辺とを含み、
前記挿入孔が有する開口部分の形状は、
前記第１長辺と平行に向かい合う第１辺と、
前記第２長辺と向かい合う第２辺と、
前記第２長辺と向かい合う第３辺と、
を含む、多角形である請求項２に記載の交流整流子電動機。
【請求項５】
前記長方形は、第１長辺と第２長辺とを含み、
前記挿入孔が有する開口部分の形状は、
前記第１長辺と平行に向かい合う第１辺と、
前記第２長辺と平行に向かい合う第２辺と、
を含む、長方形である請求項２に記載の交流整流子電動機。
【請求項６】
前記長方形は、第１長辺と第２長辺とを含み、
前記挿入孔が有する開口部分の形状は、
前記第１長辺と向かい合うとともに、長軸方向に延伸する第１辺と、
前記第２長辺と向かい合うとともに、前記長軸方向に延伸する第２辺と、
を含む、楕円形である請求項２に記載の交流整流子電動機。
【請求項７】
前記先端部は、前記取付方向に沿って少なくとも３以上に分割され、分割された前記先端部のうち、両端に位置する部分が各々斜めに倒れるとともに、前記先端部のうち、前記両端に位置する部分以外には、斜めに倒れない非傾倒部を有する、請求項１または２のいずれか一項に記載の交流整流子電動機。
【請求項８】
前記非傾倒部は、前記取付方向と直交する断面方向において、断面の形状が菱形、または、平行四辺形である、請求項７に記載の交流整流子電動機。
【請求項９】
請求項１から請求項６のいずれか一項に記載した交流整流子電動機と、
前記回転軸の前記出力軸側に取り付けられる遠心ファンと、
前記遠心ファンと前記エンドブラケットとの間に位置し、前記遠心ファンから生じた気流を流す流路を形成するエアガイドと、
前記遠心ファンに対して反ハウジング側に位置し、中央部に吸気孔を含むファンケースと、
を備え、
前記交流整流子電動機は、前記ハウジングに複数の通気孔を、さらに含む、電動送風機。
【請求項１０】
請求項９に記載した電動送風機と、前記電動送風機を駆動する駆動部と、を備える電気機器。
【発明の詳細な説明】
【技術分野】
【０００１】
本発明は、交流整流子電動機の筐体を結合する構造に関するものである。また、本発明は、この交流整流子電動機を備えた電動送風機、および、この電動送風機を備えた電気機器に関するものであり、特に、電気掃除機等に有用である。
【背景技術】
【０００２】
従来、電気掃除機等に搭載される電動送風機は、電動機要素を有する。電動機要素には、ユニバーサルモータとも呼ばれる交流整流子電動機が広く採用される。交流整流子電動機は、以下の構成のものがよく知られている。
【０００３】
すなわち、交流整流子電動機は、主に、界磁部と、電機子と、ブラシと、ブラシ保持部と、を備える。界磁部は、磁極部を含む環状の界磁鉄心と、界磁巻線と、を有する。電機子は、電機子鉄心に電機子巻線が巻装される。電機子は、電機子鉄心の軸心を貫通するように、回転軸を有する。電機子は、界磁鉄心に含まれる磁極部間に位置する。回転軸は、一対の軸受により、回転自在に支持される。回転軸は、一方を出力軸とし、他方を反出力軸とする。整流子とブラシとは、電機子が有する電機子巻線に供給される電力の授受を行う。ブラシ保持部は、ブラシを保持する。
【０００４】
ハウジングは、反出力軸側に位置する軸受を保持する、軸受保持部を有する。ハウジングは、一方に開口した開口部を含む。ハウジングの内部には、界磁部と、電機子と、整流子と、ブラシと、ブラシ保持部と、が収納される。ハウジングが含む開口部には、エンドブラケットが取り付けられる。エンドブラケットは、出力軸側に位置する軸受を保持する、軸受保持部を有する。
【０００５】
以上の構成により、電動機要素が構成される。
【０００６】
つぎに、電動送風機は、電動機要素が有する回転軸の出力軸側に、遠心ファンを備える。遠心ファンとエンドブラケットとの間には、エアガイドが位置する。エアガイドは、遠心ファンが生み出す気流を流す、流路の一部分を成す。
【０００７】
電動送風機は、遠心ファンに対して反電動機要素側に、ファンケースを備える。遠心ファンは、ファンケース側から吸気する。ファンケースは、中央部に吸気孔を含む。
【０００８】
ハウジングとエンドブラケットとを一体に結合する技術としては、例えば、特許文献１等に上述と同様の内容が記されている。
【０００９】
図１０は、従来の電動送風機の構成を示す説明図である。
【００１０】
図１０に示すように、ハウジング２とエンドブラケット１とを一体に結合するにあたり、ハウジング２は、螺合部を有する。一方、エンドブラケット１は、螺合部と相対する位置に、孔部を有する。ハウジング２とエンドブラケット１とは、向かい合って組み合わされる。エンドブラケット１の孔部には、螺合部と相対する面の反対側からねじ６０が挿入される。挿入されたねじ６０が、螺合部に螺合されると、ハウジング２とエンドブラケット１とは一体に結合される。
【００１１】
他のハウジングとエンドブラケットとを一体に結合する技術として、例えば、特許文献２等に上述と同様の内容が記されている。つまり、ハウジングとエンドブラケットとを一
体に結合するにあたり、ハウジングは、舌片状の切り起こし部を有する。一方、エンドブラケットは、舌片状の切り起こし部と相対する位置に、挿入孔を有する。ハウジングとエンドブラケットとは、向かい合って組み合わされる。このとき、エンドブラケットが有する挿入孔には、ハウジングが有する切り起こし部が挿入される。挿入された切り起こし部は、先端部にかしめ加工が施される。かしめ加工が施された、切り起こし部の先端部は、変形することにより、ハウジングとエンドブラケットとを固定する。
【先行技術文献】
【特許文献】
【００１２】
【特許文献１】特開２００１−１５３０９７号公報
【特許文献２】特開２０００−１４０７０号公報
【発明の概要】
【発明が解決しようとする課題】
【００１３】
つまり、従来の交流整流子電動機には、つぎの改善すべき点があった。
【００１４】
すなわち、特許文献１等に記された構成では、ハウジングとエンドブラケットとを固定するために、複数のねじを用いて螺合する。よって、特許文献１を用いた交流整流子電動機は、経営上、ねじ自体の材料コストの抑制と、ねじを螺合する工程に要する工数の抑制と、が求められる。つまり、特許文献１を用いた交流整流子電動機は、産業的価値の改善が求められるものであった。
【００１５】
また、特許文献２等に記載された構成は、上述した特許文献１等の課題を解消できるものの、筐体の強度という点で、課題があった。
【００１６】
つまり、特許文献２等に記された交流整流子電動機は、ねじで螺合された、特許文献１を用いた交流整流子電動機が有する剛性を有していない。換言すれば、ハウジングとエンドブラケットとを結合するにあたり、かしめ加工が施された筐体の剛性は、ねじで螺合された筐体の剛性に及ばない。その結果、特許文献２等に記された交流整流子電動機は、振動や騒音の原因となっていた。
【課題を解決するための手段】
【００１７】
上記課題を解決するため、第１の発明は、界磁鉄心に界磁巻線を巻装した界磁部と、前記界磁鉄心と向かい合って位置する電機子鉄心と、子鉄心の軸心を貫通して前記電機子鉄心に固定され、前記軸心方向において、一方を出力軸とするとともに、他方を反出力軸とする回転軸と、前記回転軸上であって前記電機子鉄心から前記回転軸の軸心方向に沿って離間した位置に固定される整流子と、を有する電機子と、前記軸心方向において、前記電機子鉄心を挟んで位置するとともに、前記回転軸を回転自在に支持する、一対の軸受と、一対の正負極を成し、前記整流子と相対する位置へ開口端を含むとともに、前記軸心とは直交する方向に沿って取り付けられるブラシ保持器と、前記正負極の各々の前記ブラシ保持器内に挿入され、前記軸心とは直交する方向に沿って移動可能であって、前記開口端を介して前記整流子とは摺動面で接触するブラシと、前記界磁部と、前記電機子と、前記一対の軸受と、前記ブラシ保持器と、前記ブラシと、を内部に保持するとともに、前記軸心と交差する断面上に開口部を含むハウジングと、前記開口部を覆うエンドブラケットと、を有する筐体と、を備え、前記ハウジングと前記エンドブラケットのいずれか一方は、前記ハウジングに前記エンドブラケットを取り付ける取付方向に延伸するとともに、前記取付方向に沿って少なくとも２以上に分割される先端部を含む、複数の切り起こし部を有し、前記ハウジングと前記エンドブラケットのいずれか他方は、前記複数の切り起こし部のそれぞれが嵌め合わされる挿入孔を有し、前記切り起こし部のそれぞれが前記挿入孔のそれぞれに嵌め合わされた後、前記切り起こし部のそれぞれは、前記取付方向を軸とするひ
ねり力が加えられたとき、前記先端部が少なくとも２以上に分割されるとともに、分割された前記先端部の各々は前記ひねり力が加えられた方向に傾斜して倒れる様態を含む、交流整流子電動機である。
【００１８】
また、第２の発明は、第１の発明において、前記切り起こし部は、前記取付方向と直交する断面方向において、断面の形状が長方形であり、前記先端部は、前記長方形の中心から前記長方形の外側に傾いて倒れる第１傾倒部と、前記長方形の中心に対して前記第１傾倒部が倒れる方向とは反対側に傾いて倒れる第２傾倒部と、を有し、前記第１傾倒部と前記第２傾倒部とは、それぞれ、前記長方形を形成する長辺成分の一部と、前記長方形を形成する短辺成分と、を含む、交流整流子電動機である。
【００１９】
また、第３の発明は、第２の発明において、
前記軸心と前記長方形の中心とを結ぶ線分が最短となる方向において、前記軸心を中心とする同心円と前記線分とが交差する点に位置する、前記同心円の接線は、前記長方形を形成する長辺との位置関係が平行である様態を含む、交流整流子電動機である。
【００２０】
また、第４の発明は、第２の発明において、前記長方形は、第１長辺と第２長辺とを含み、前記挿入孔が有する開口部分の形状は、前記第１長辺と平行に向かい合う第１辺と、前記第２長辺と向かい合う第２辺と、前記第２長辺と向かい合う第３辺と、を含む、多角形の様態を具備する交流整流子電動機である。
【００２１】
また、第５の発明は、第２の発明において、前記長方形は、第１長辺と第２長辺とを含み、前記挿入孔が有する開口部分の形状は、前記第１長辺と平行に向かい合う第１辺と、前記第２長辺と平行に向かい合う第２辺と、を含む、長方形の様態を具備する交流整流子電動機である。
【００２２】
また、第６の発明は、第２の発明において、前記長方形は、第１長辺と第２長辺とを含み、前記挿入孔が有する開口部分の形状は、前記第１長辺と向かい合うとともに、長軸方向に延伸する第１辺と、前記第２長辺と向かい合うとともに、前記長軸方向に延伸する第２辺と、を含む、楕円形の様態を具備する交流整流子電動機である。
【００２３】
また、第７の発明は、第１の発明又は第２の発明において、前記先端部は、前記取付方向に沿って少なくとも３以上に分割され、分割された前記先端部のうち、両端に位置する部分が各々斜めに倒れるとともに、前記先端部のうち、前記両端に位置する部分以外には、斜めに倒れない非傾倒部を有する、交流整流子電動機である。
【００２４】
また、第８の発明は、第７の発明において、前記非傾倒部は、前記取付方向と直交する断面方向において、断面の形状が菱形、または、平行四辺形の様態を具備する交流整流子電動機である。
【００２５】
また、第９の発明は、第１から第６の発明のいずれかにおける交流整流子電動機と、
前記回転軸の前記出力軸側に取り付けられる遠心ファンと、
前記遠心ファンと前記エンドブラケットとの間に位置し、前記遠心ファンから生じた気流を流す流路を形成するエアガイドと、
前記遠心ファンに対して反ハウジング側に位置し、中央部に吸気孔を含むファンケースと、
を備え、前記交流整流子電動機は、前記ハウジングに複数の通気孔を、さらに含む、電動送風機である。
【００２６】
また、第１０の発明は、第９の発明の電動送風機と、前記電動送風機を駆動する駆動部
と、を備える電気機器である。
【発明の効果】
【００２７】
発明によれば、後述するとおり、材料費の増加の要因となっていた、ねじ等の部材を採用することなく、筐体の剛性を向上できる。筐体は、ハウジングと、エンドブラケットと、を結合して一体化される。
【００２８】
また、本発明の交流整流子電動機は、安価に、かつ、電機子が回転する際に生じる振動を低減できる。
【００２９】
また、本発明の交流整流子電動機を備える電動送風機は、上述した作用効果を享受できる。
【００３０】
さらに、本発明の電動送風機を備える電気機器は、上述した作用効果を享受できる。
【図面の簡単な説明】
【００３１】
【図１】本発明の実施例１における交流整流子電動機を用いた電動送風機の要部の断面図
【図２Ａ】実施例１における交流整流子電動機の主要部を示す斜視図
【図２Ｂ】実施例１における交流整流子電動機の要部を示す一部平面図
【図２Ｃ】実施例１における交流整流子電動機に用いられる切り起こし部の概要を示す正面から見た斜視図
【図２Ｄ】実施例１における交流整流子電動機に用いられる切り起こし部の概要を示す上から見た斜視図
【図２Ｅ】実施例１における交流整流子電動機に用いられる切り起こし部の概要を示す側面から見た斜視図
【図２Ｆ】実施例１における交流整流子電動機に用いられる切り起こし部の取付位置を説明する説明図
【図３Ａ】実施例１における交流整流子電動機に用いられる切り起こし部の取付手順を説明する取付説明図
【図３Ｂ】実施例１における交流整流子電動機に用いられる切り起こし部の取付手順を説明する取付説明図
【図３Ｃ】実施例１における交流整流子電動機に用いられる切り起こし部の分割方法を説明する説明図
【図３Ｄ】実施例１における交流整流子電動機に用いられる切り起こし部の他の分割方法を説明する説明図
【図３Ｅ】実施例１における交流整流子電動機に用いられる他の切り起こし部の概要を示す斜視図
【図４Ａ】実施例２における交流整流子電動機の要部を示す一部平面図
【図４Ｂ】実施例２における他の交流整流子電動機の要部を示す一部平面図
【図４Ｃ】実施例１におけるさらに他の交流整流子電動機の要部を示す一部平面図
【図５】実施例２における交流整流子電動機に用いられる切り起こし部の分割方法を説明する説明図
【図６Ａ】実施例２における交流整流子電動機に用いられる切り起こし部の概要を示す正面から見た斜視図
【図６Ｂ】実施例２における交流整流子電動機に用いられる切り起こし部の概要を示す上から見た斜視図
【図６Ｃ】実施例２における交流整流子電動機に用いられる切り起こし部の概要を示す側面から見た斜視図
【図７】比較例における切り起こし部の分割方法を説明する説明図
【図８】実施例２における交流整流子電動機に用いられる切り起こし部と比較例における切り起こし部との比較を示すグラフ
【図９】実施例３における電気機器を示す概念図
【図１０】従来の電動送風機の構成を示す説明図
【発明を実施するための形態】
【００３２】
以下、本発明について、図面及び表を参照しながら説明する。なお、以下の実施の形態又は実施例によって本発明が限定されるものではない。
【００３３】
また、本実施例では、電気機器として、特に、顕著な作用効果を奏する、電気掃除機を例示して説明する。後述する交流整流子電動機は、電気掃除機に搭載される電動送風機に用いられる。電動送風機は、送風ファンを駆動する交流整流子電動機である。
【実施例１】
【００３４】
図１は、本発明の実施例１における交流整流子電動機を用いた電動送風機の要部断面図である。図２Ａは、本発明の実施例１における交流整流子電動機の主要部を示す斜視図である。図２Ｂは、本発明の実施例１における交流整流子電動機の要部を示す一部平面図である。図２Ｃは、本発明の実施例１における交流整流子電動機に用いられる切り起こし部の概要を示す正面から見た斜視図である。図２Ｄは、本発明の実施例１における交流整流子電動機に用いられる切り起こし部の概要を示す上から見た斜視図である。図２Ｅは、本発明の実施例１における交流整流子電動機に用いられる切り起こし部の概要を示す側面から見た斜視図である。図２Ｆは、本発明の実施例１における交流整流子電動機に用いられる切り起こし部の取付位置を説明する説明図である。図３Ａは、本発明の実施例１における交流整流子電動機に用いられる切り起こし部の取付手順を説明する取付説明図である。図３Ｂは、図３Ａとともに、本発明の実施例１における交流整流子電動機に用いられる切り起こし部の取付手順を説明する取付説明図である。図３Ｃは、本発明の実施例１における交流整流子電動機に用いられる切り起こし部の分割方法を説明する説明図である。図３Ｄは、本発明の実施例１における交流整流子電動機に用いられる切り起こし部の他の分割方法を説明する説明図である。図３Ｅは、本発明の実施例１における交流整流子電動機に用いられる他の切り起こし部の概要を示す斜視図である。
【００３５】
図１に示すように、本発明の実施例１における交流整流子電動機１００は、界磁部１３と、電機子１４と、一対の軸受９と、ブラシ保持器２１と、ブラシ２５と、筐体１０１と、を備える。
【００３６】
界磁部１３は、界磁鉄心１１に界磁巻線１２が巻装される。
【００３７】
電機子１４は、電機子鉄心１５と、電機子巻線２２と、回転軸５と、整流子２０と、を有する。電機子鉄心１５は、界磁鉄心１１と向かい合って位置する。電機子巻線２２は、電機子鉄心１５に巻装される。回転軸５は、電機子鉄心１５の軸心５ａを貫通して電機子鉄心１５に固定される。回転軸５は、軸心５ａ方向において、一方を出力軸５ｂ側とするとともに、他方を反出力軸５ｃ側とする。
【００３８】
整流子２０は、回転軸５上であって電機子鉄心１５から回転軸５の軸心５ａ方向に沿って離間した位置に固定される。
【００３９】
一対の軸受９は、軸心５ａ方向において、電機子鉄心１５を挟んで位置する。一対の軸受９は、回転軸５を回転自在に支持する。なお、後述する説明において、一対の軸受９は、エンドブラケット１に保持される軸受９ａと、ハウジング２に保持される軸受９ｂと、示すこともある。
【００４０】
ブラシ保持器２１は、一対の正負極を成す。ブラシ保持器２１は、整流子２０と相対する位置へ開口端２６を含む。ブラシ保持器２１は、軸心５ａとは直交する方向に沿って取り付けられる。
【００４１】
ブラシ２５は、正負極の各々のブラシ保持器２１内に挿入される。ブラシ２５は、軸心５ａとは直交する方向に沿って移動可能である。ブラシ２５は、開口端２６を介して、整流子２０とは摺動面２７で接触する。
【００４２】
筐体１０１は、界磁部１３と、電機子１４と、一対の軸受９と、ブラシ保持器２１と、ブラシ２５と、を内部に保持する。筐体１０１は、ハウジング２と、エンドブラケット１と、を有する。ハウジング２は、軸心５ａと交差する断面上に開口部２ａを含む。エンドブラケット１は、開口部２ａを覆う。
【００４３】
図２Ａには、ハウジング２にエンドブラケット１を取り付けた状態が示される。図２Ａにおいて、ハウジング２の構造を分かり易くするために、ハウジング２の内部に位置する構成要素は、記載されていない。図２Ａに示すように、特に、ハウジング２とエンドブラケット１のいずれか一方は、複数の切り起こし部３１を有する。切り起こし部３１は、ハウジング２にエンドブラケット１を取り付ける取付方向１０２に延伸する。切り起こし部３１は、取付方向１０２に沿って少なくとも２以上に分割される先端部３１ａを含む。
【００４４】
また、ハウジング２とエンドブラケット１のいずれか他方は、複数の挿入孔３２を有する。それぞれの挿入孔３２には、複数の切り起こし部３１のそれぞれが嵌め合わされる。
【００４５】
切り起こし部３１のそれぞれが挿入孔３２のそれぞれに嵌め合わされた後、切り起こし部３１のそれぞれは、取付方向１０２を軸として、ひねり力が加えられる。このとき、先端部３１ａは、少なくとも２以上に分割される。分割された先端部３１ａの各々はひねり力が加えられた方向に傾斜して倒される。
【００４６】
特に、顕著な作用、効果を奏する形態は、つぎのとおりである。
【００４７】
すなわち、図２Ｂから図２Ｅに示すように、切り起こし部３１は、取付方向１０２と直交する断面方向において、断面の形状が長方形である。先端部３１ａは、第１傾倒部４１と、第２傾倒部４２と、を有する。第１傾倒部４１は、長方形の中心３１ｂから長方形の外側に傾いて倒される。第２傾倒部４２は、長方形の中心３１ｂに対して第１傾倒部４１が倒れる方向とは反対側に傾いて倒される。
【００４８】
第１傾倒部４１と第２傾倒部４２とは、それぞれ、長方形を形成する長辺３５成分と、長方形を形成する短辺３６成分と、を含む。つまり、切り起こし部３１は、ひねり力が加えられた方向に傾斜して倒されるため、分割された先端部３１ａの各々は、長方形を形成する長辺３５成分と、長方形を形成する短辺３６成分と、を含む方向に傾斜して倒される。
【００４９】
あるいは、図２Ｆに示すように、同心円５２は、軸心５ａを中心とする円である。線分１０３は、軸心５ａと長方形の中心３１ｂとを結ぶ直線である。図中、矢印で示した方向は、結ぶ線分１０３が最短となる方向１０４である。同心円５２の接線Ａは、軸心５ａを中心とする同心円５２と線分１０３とが交差する点に位置する。同心円５２の接線Ａは、長方形を形成する長辺３５との位置関係が平行である。
【００５０】
また、図２Ｂに示すように、長方形は、第１長辺３５ａと第２長辺３５ｂとを含む。挿
入孔３２が有する開口部分の形状は、多角形である。多角形は、第１辺３７ａと、第２辺３７ｂと、第３辺３７ｃと、を含む。第１辺３７ａは、第１長辺３５ａと平行に向かい合う。第２辺３７ｂと第３辺３７ｃとは、ともに第２長辺３５ｂと向かい合う。
【００５１】
また、図１に示すように、本発明の実施例１における電動送風機２００は、上述した交流整流子電動機１００を備える。
【００５２】
さらに、本実施例における電動送風機２００は、遠心ファン６と、エアガイド１０と、ファンケース１６と、を備える。
【００５３】
遠心ファン６は、回転軸５の出力軸５ｂ側に取り付けられる。
【００５４】
エアガイド１０は、遠心ファン６とエンドブラケット１との間に位置する。エアガイド１０は、遠心ファン６から生じた気流を流す流路を形成する。
【００５５】
ファンケース１６は、遠心ファン６に対してハウジング２の反対側に位置する。ファンケース１６は、中央部に吸気孔１６ａを含む。
【００５６】
さらに、交流整流子電動機１００は、ハウジング２に複数の通気孔２３を含む。
【００５７】
図面を用いて、さらに、詳細に説明する。
【００５８】
図１に示すように、本実施例における電動送風機２００は、交流整流子電動機１００と、交流整流子電動機１００に取り付けたファンケース１６内に、遠心ファン６とエアガイド１０と、を有する。
【００５９】
交流整流子電動機１００が備える筐体１０１を構成するハウジング２は、一方に底部２４を含み、他方に開口部２ａを含む。底部２４は、通気孔２３を有する。ハウジング２の内部には、界磁部１３と、電機子１４と、を有する。
【００６０】
界磁部１３は、界磁鉄心１１と、界磁巻線１２と、を有する。界磁鉄心１１には、界磁巻線１２が巻装される。界磁鉄心１１は、方形の筒状である。界磁部１３は、ハウジング２の内側に固定される。
【００６１】
電機子１４は、電機子鉄心１５と、電機子巻線２２と、回転軸５と、整流子２０と、を有する。電機子鉄心１５には、電機子巻線２２が巻装される。電機子鉄心１５は、電機子鉄心１５の軸心を貫通して、回転軸５が固定される。
【００６２】
電機子１４は、回転軸５の両端が一対の軸受９によって回転自在に支持される。回転軸５は、軸心５ａ方向に沿って整流子２０が取り付けられる。
【００６３】
ハウジング２の内部には、一対のブラシ保持器２１が固定される。ブラシ保持器２１のそれぞれは、ブラシ保持器２１の内部に、カーボンブラシであるブラシ２５を保持する。一対のブラシ２５は、整流子２０に当接する。
【００６４】
交流整流子電動機１００は、以上の構成を有する。
【００６５】
電動送風機２００は、ハウジング２が含む開口部２ａを覆うように、ファンケース１６が取り付けられる。電機子１４が固定された回転軸５は、一方を出力軸５ｂとし、他方を反出力軸５ｃとする。回転軸５の出力軸５ｂは、ハウジング２が含む開口部２ａから突出
している。出力軸５ｂの端部は、ファンケース１６内に位置し、遠心ファン６が取り付けられる。
【００６６】
ハウジング２の開口部２ａと遠心ファン６との間には、エンドブラケット１とエアガイド１０とが位置する。つまり、ファンケース１６の内部には、エンドブラケット１と、エアガイド１０と、遠心ファン６と、が位置する。
【００６７】
エンドブラケット１とハウジング２とは、それぞれ軸受保持部４を含む。なお、後述する説明において、それぞれの軸受保持部４は、エンドブラケット１に含まれる軸受保持部４ａと、ハウジング２に含まれる軸受保持部４ｂと、示すこともある。
【００６８】
図２Ａに示すように、エンドブラケット１は、外周部１ａと軸受保持部４ａとの間に、ブリッジ部８を含む。ブリッジ部８は、外周部１ａと軸受保持部４ａとを連絡するとともに、軸受保持部４ａを支持する。
【００６９】
エンドブラケット１は、ブリッジ部８と外周部１ａとの間に孔部８１を有する。遠心ファン６によって吸い込まれた気流は、孔部８１を通ってハウジング２内部に流れる。
【００７０】
図１、図２Ａに示すように、以上のように構成された電動送風機２００に対して、交流整流子電動機１００の外部から、交流整流子電動機１００に電力が供給される。交流整流子電動機１００に供給された電力は、ブラシ２５と整流子２０とを介して、電機子電流として電機子巻線２２に流される。併せて、交流整流子電動機１００に供給された電力は、界磁電流として界磁巻線１２に流される。界磁巻線１２に界磁電流が流れることにより、界磁鉄心１１には、磁束が発生する。
【００７１】
つまり、界磁鉄心１１に磁束が生じている状態で、電機子巻線２２には電機子電流が流されるため、電機子巻線２２には回転力が生じる。電機子巻線２２に生じる回転力は、フレミング左手の法則（Ｆｌｅｍｉｎｇ’ｓ  ｌｅｆｔ  ｈａｎｄ  ｒｕｌｅ）に従った方向に作用する。よって、電機子１４は回転する。
【００７２】
電機子１４が回転すれば、電機子１４とともに遠心ファン６が回転する。遠心ファン６が回転すれば、ファンケース１６が含む吸気孔１６ａから吸い込まれた空気が、遠心ファン６の内側に流れ込む。遠心ファン６の内側に流れ込んだ空気は、エアガイド１０を経てハウジング２の内部に流れ込む。ハウジング２の内部に流れ込んだ空気は、通気孔２３を介して、電動送風機２００の外部に排出される。
【００７３】
つぎに、図１、および、図２Ａから図３Ｅを用いて、エンドブラケット１とハウジング２とを結合する手順について、説明する。エンドブラケット１とハウジング２とは、かしめ加工により、結合される。
【００７４】
図１、図２Ａに示すように、ハウジング２は、円筒状の胴部２ｂを有する。ハウジング２は、胴部２ｂに対して、一方に底部２４を含み、他方に開口部２ａを含む。底部２４は、通気孔２３を有する。ハウジング２の内部には、界磁部１３と、電機子１４と、を有する。
【００７５】
図１に示すように、界磁部１３は、界磁鉄心１１と、界磁巻線１２と、を有する。界磁鉄心１１には、界磁巻線１２が巻装される。界磁鉄心１１は、方形の筒状である。界磁部１３は、ハウジング２の内側に固定される。
【００７６】
電機子１４は、電機子鉄心１５と、電機子巻線２２と、回転軸５と、整流子２０と、を
有する。電機子鉄心１５には、電機子巻線２２が巻装される。電機子鉄心１５は、電機子鉄心１５の軸心５ａを貫通して、回転軸５が結合される。
【００７７】
電機子１４は、回転軸５の両端が一対の軸受９によって回転自在に支持される。回転軸５は、軸心５ａ方向に沿って整流子２０が取り付けられる。
【００７８】
図３Ａに示すように、ハウジング２は、開口部２ａの周囲に、複数の切り起こし部３１を有する。エンドブラケット１は、複数の切り起こし部３１のそれぞれに対応する位置に、挿入孔３２を有する。
【００７９】
本実施例において、切り起こし部３１は、先端部３１ａの両端が切り落とされた形状となっている。なお、図３Ｅに示すように、切り起こし部３１ｄの先端部３１ａの形状は、半円形状であってもよい。切り起こし部３１ｄの形状は、舌片形状ともいう。切り起こし部３１、３１ｄは、先端部３１ａの両端を切り落とす形状としているため、図３Ａ中、矢印で示す、切り起こし部３１（、３１ｄ）を挿入孔３２に挿入する作業を円滑に行うことができる。
【００８０】
この結果、図３Ｂに示すように、切り起こし部３１が、挿入孔３２に挿入される。
【００８１】
このとき、図２Ｆに示すように、切り起こし部３１と回転軸５とは、つぎの位置関係にある。すなわち、切り起こし部３１は、断面形状が長方形である。長方形の長辺３５は、直線Ｂ上に位置する。長方形の短辺３６は、直線Ｅ上と直線Ｆ上に位置する。
【００８２】
長方形の中心３１ｂと回転軸５の軸心５ａとは、直線Ｊ上に位置する、最短の線分１０３で結ばれる。回転軸５は、軸心５ａを中心とする同心円５２を描くことができる。接線Ａは、線分１０３と同心円５２との交点上を通る。
【００８３】
このとき、接線Ａと直線Ｂとは、平行の位置関係にある。接線Ａと直線Ｅ、および、接線Ａと直線Ｆは、直交する位置関係にある。
【００８４】
また、図２Ｂ、図２Ｆに示すように、切り起こし部３１と挿入孔３２とは、つぎの位置関係にある。すなわち、切り起こし部３１は、第１長辺３５ａと、第２長辺３５ｂと、を含む。
【００８５】
本実施例において、挿入孔３２は、多角形のうち、五角形である。五角形を成す挿入孔３２は、第１辺３７ａと、第２辺３７ｂと、第３辺３７ｃと、他の辺を含む。第１辺３７ａは、直線Ｃ上に位置する。他の辺は、それぞれ、直線Ｄ上と直線Ｇ上と、に位置する。
【００８６】
このとき、第１長辺３５ａは、第１辺３７ａにのみ相対する。つまり、直線Ｂと直線Ｃとは、平行の位置関係にある。
【００８７】
第２長辺３５ｂは、第２辺３７ｂと第３辺３７ｃの二辺と相対する。直線Ｅと直線Ｄとは、平行の位置関係にある。直線Ｆと直線Ｇとは、平行の位置関係にある。直線Ｉは、同心円５２の中心である軸心５ａを通る直線である。直線Ｉは、接線Ａ、および、直線Ｂと、平行の位置関係にある。
【００８８】
上述した位置にある、切り起こし部３１に施される、かしめ加工について、図２Ｃから図２Ｅ、および、図３Ｃ、図３Ｄを用いて、工程を説明する。
【００８９】
図３Ｃに示すように、割り刃３３は、取付方向１０２の方向に進められる。挿入孔３２
に挿入された切り起こし部３１には、割り刃３３が押し当てられる。割り刃３３は、切り起こし部３１の先端部３１ａに対して、切り起こし部３１の表面３１ｃと所定の角度αを有して押し当てられる。さらに、割り刃３３が切り起こし部３１に押し込まれると、切り起こし部３１の先端部３１ａは、２つに分割される。このとき、割り刃３３と切り起こし部３１の先端部３１ａとが、所定の角度αを有しているため、割り刃３３は、取付方向１０２を軸として、切り起こし部３１にひねり力を加えながら、先端部３１ａを分割する。
【００９０】
なお、割り刃３３が通る経路は、図３Ｃに示すように、予め、切り起こし部３１に経路が明示されていなくてもよい。あるいは、図３Ｄに示すように、予め、切り起こし部３１に経路３１ｅが刻み込まれていてもよい。予め、割り刃３３が通る経路３１ｅが、切り起こし部３１に刻み込まれている場合、割り刃３３を押し込む力が小さくなる。よって、切り起こし部３１にひねり力を加えながら分割する作業が、容易となる。
【００９１】
この結果、図２Ｃから図２Ｅに示すように、切り起こし部３１の先端部３１ａが、２つに分割される。図２Ｄで示す直線Ｋは、図２Ｆで示した同心円５２の接線Ａと平行な位置関係にある。
【００９２】
すなわち、分割された先端部３１ａのうち、第１傾倒部４１は、図２Ｆで示した同心円５２の接線Ａに対して斜めに曲げられる。同様に、第２傾倒部４２は、図２Ｆで示した同心円５２の接線Ａに対して斜めに曲げられる。図２Ｄに示すように、第１傾倒部４１と第２傾倒部４２とは、反対方向に倒される。具体的には、第１傾倒部４１と第２傾倒部４２とは、切り起こし部３１の断面形状である長方形の中心３１ｂから外側に向けて倒される。この方向は、長方形の長辺３５方向の成分と、長方形の短辺３６方向の成分と、を含む。すなわち、第１傾倒部４１と第２傾倒部４２とは、長方形の長辺３５成分と、長方形の短辺３６成分とを合成した方向１０５に倒される。
【００９３】
換言すれば、第１傾倒部４１と第２傾倒部４２とは、切り起こし部３１が含む、長辺３５方向と、短辺３６方向に対して、挿入孔３２を保持する力を発揮する。
【００９４】
よって、第１傾倒部４１と第２傾倒部４２とは、剛性を低下させることなく、エンドブラケット１とハウジング２とを結合できる。
【００９５】
以上の説明から明らかなように、本実施例において、交流整流子電動機は、切り起こし部が挿入孔に挿入された後、かしめ加工が施される。切り起こし部は、２つの方向を合成して得られる方向に傾くよう、分割される。２つの方向のうち一方とは、切り起こし部から、電機子が有する回転軸の軸心が位置する方向をいう。２つの方向のうち他方とは、回転軸が有する回転軸の軸心を中心とする同心円の接線方向をいう。２つの方向を合成して得られる方向は、図２Ｄ中、符号１０５で示される。同心円の接線は、図２Ｆ中、接線Ａとして示される。
【００９６】
本構成とすれば、本実施例における交流整流子電動機は、ねじ等の部材を用いることなく、高い剛性を有する筐体の結合を実現できる。よって、本実施例における交流整流子電動機は、ねじ等の部材を用いることがないため、材料費を抑制できる。また、本実施例における交流整流子電動機は、高い剛性を有するため、電機子が回転することに起因する、振動を低減できる。
【００９７】
なお、以上の説明は、ハウジングが複数の切り起こし部を有し、エンドブラケットが複数の挿入孔を有する、交流整流子電動機を例として用いた。切り起こし部は、ハウジングが含む開口部に位置する。挿入孔は、エンドブラケットの外周部に位置する。
【００９８】
本実施例の作用、効果は、つぎの構成でも得ることができる。すなわち、ハウジングが複数の挿入孔を有し、エンドブラケットが複数の切り起こし部を有する、交流整流子電動機でもよい。挿入孔は、ハウジングが含む開口部に位置する。切り起こし部は、エンドブラケットの外周部に位置する。
【００９９】
換言すれば、本発明の実施例１における交流整流子電動機は、ハウジングとエンドブラケットとを結合して、筐体を形成する。ハウジングは、筒状の胴部を有する。ハウジングは、胴部の一端に開口部を含み、胴部の他端に底部を含む。本実施例における交流整流子電動機は、筐体の内部に、界磁鉄心を有する界磁部と、回転軸を有する電機子と、電機子を回転自在に支持する一対の軸受と、を備える。
【０１００】
本実施例における交流整流子電動機は、ハウジングとエンドブラケットのうち、どちらか一方に切り起こし部を含み、他の一方に挿入孔を含む。切り起こし部は、挿入孔に挿入された後、切り起こし部が挿入孔に挿入される取付方向に沿って、切り起こし部の先端部が分割される。切り起こし部の先端部は、切り起こし部の表面に対して、所定の角度を有して分割される。つまり、切り起こし部の先端部は、回転軸の軸心を中心とする同心円の円周方向に対して、斜めに分割される。なお、所定の角度とは、切り起こし部の表面に対して直交する角度は含まない。
【０１０１】
よって、分割された切り起こし部の先端部は、回転軸の軸心を中心とする同心円の接線方向と、回転軸の軸心方向と、の２つの方向を合成した方向に、倒される。
【０１０２】
上述した構成により、本発明の実施例１における交流整流子電動機は、つぎの作用効果を奏する。すなわち、本実施例における交流整流子電動機は、ねじ等の部材は不要となり、材料費を抑制できる。また、本実施例における交流整流子電動機は、高い剛性を有する筐体を実現できる。よって、本実施例における交流整流子電動機は、電機子が回転することに起因する振動を低減できる。
【実施例２】
【０１０３】
図４Ａは、本発明の実施例２における交流整流子電動機の要部を示す一部平面図である。図４Ｂは、本発明の実施例２における他の交流整流子電動機の要部を示す一部平面図である。図４Ｃは、本発明の実施例１におけるさらに他の交流整流子電動機の要部を示す一部平面図である。図５は、本発明の実施例２における交流整流子電動機に用いられる切り起こし部の分割方法を説明する説明図である。図６Ａは、本発明の実施例２における交流整流子電動機に用いられる切り起こし部の概要を示す正面から見た斜視図である。図６Ｂは、本発明の実施例２における交流整流子電動機に用いられる切り起こし部の概要を示す上から見た斜視図である。図６Ｃは、本発明の実施例２における交流整流子電動機に用いられる切り起こし部の概要を示す側面から見た斜視図である。図７は、比較例における切り起こし部の分割方法を説明する説明図である。図８は、本発明の実施例２における交流整流子電動機に用いられる切り起こし部と比較例における切り起こし部との比較を示すグラフである。
【０１０４】
後述する本実施例では、上述した実施例１で説明した、切り起こし部３１と挿入孔３２とについて、他の実施例を説明する。
【０１０５】
なお、上述した実施例１に示した構成と同一のものについては、同じ符号を付して、説明を援用する。
【０１０６】
まず、図４Ａに示すように、本発明の実施例２における交流整流子電動機には、切り起こし部３１と、挿入孔１３２と、が用いられる。
【０１０７】
切り起こし部３１は、取付方向と直交する断面方向において、断面の形状が長方形である。この長方形は、第１長辺３５ａと第２長辺３５ｂとを含む。
【０１０８】
挿入孔１３２が有する開口部分の形状は、長方形である。この長方形は、第１辺１３７ａと第２辺１３７ｂとを含む。第１辺１３７ａは、第１長辺３５ａと平行に向かい合う。第２辺１３７ｂは、第２長辺３５ｂと平行に向かい合う。
【０１０９】
なお、図４Ｂに示すように、挿入孔１３２ａが有する開口部分の形状は、短辺１３６ａ、１３６ｂが曲線でもよい。
【０１１０】
つぎに、図４Ｃに示すように、本発明の実施例２における他の交流整流子電動機は、切り起こし部３１と、挿入孔２３２と、が用いられる。
【０１１１】
切り起こし部３１は、取付方向と直交する断面方向において、断面の形状が長方形である。この長方形は、第１長辺３５ａと第２長辺３５ｂとを含む。
【０１１２】
挿入孔２３２が有する開口部分の形状は、楕円形である。この楕円形は、第１辺２３７ａと第２辺２３７ｂとを含む。第１辺２３７ａは、第１長辺３５ａと向かい合うとともに、長軸方向に延伸される。第２辺２３７ｂは、第２長辺３５ｂと向かい合うとともに、長軸方向に延伸される。
【０１１３】
あるいは、図５、および、図６Ａから図６Ｃに示すように、本発明の実施例２における交流整流子電動機には、先端部１３１ａに非傾倒部４３を含む、切り起こし部１３１が用いられる。
【０１１４】
先端部１３１ａは、取付方向１０２に沿って少なくとも３以上に分割される。先端部１３１ａは、分割された先端部１３１ａのうち、両端に位置する部分である第１傾倒部１４１と第２傾倒部１４２とが、各々斜めに倒される。先端部１３１ａは、先端部１３１ａのうち、両端に位置する部分である第１傾倒部１４１と第２傾倒部１４２以外に、斜めに倒れない非傾倒部４３を有する。
【０１１５】
特に、有用な形態は、つぎのとおりである。すなわち、非傾倒部４３は、取付方向と直交する断面方向において、断面の形状が菱形である。または、非傾倒部は、平行四辺形である、
さらに、図面を用いて、詳細に説明する。
【０１１６】
図４Ａから図４Ｃに示すように、切り起こし部３１の断面形状は、長方形である。切り起こし部が挿入される挿入孔１３２が有する開口部分の形状は、長方形や楕円形などである。
【０１１７】
切り起こし部３１の断面形状である長方形を成す長辺３５と、挿入孔１３２が有する開口部分を形成する長方形を成す長辺である第１辺１３７ａ、第２辺１３７ｂとは、互いに平行の位置関係である。また、長方形を成す短辺である第１辺の短辺１３６ａ、第２辺の短辺１３６ｂとは、互いに平行の位置関係又は互いに向かい合う位置関係である。あるいは、切り起こし部３１の断面形状である長方形を成す長辺３５と、挿入孔２３２が有する開口部分を形成する楕円形を成す長軸方向に延伸する辺である第１辺２３７ａと第２辺２３７ｂとは、互いに向かい合う位置関係である。
【０１１８】
つぎに、図５、および、図６Ａから図６Ｃを用いて、切り起こし部に施されるかしめ加
工の工程について、説明する。
【０１１９】
なお、既に、かしめ加工については、実施例１にて詳細に説明した。よって、以下の説明では、主に、実施例１とは異なる点を説明する。
【０１２０】
まず、図５に示すように、割り刃３３ａは、取付方向１０２の方向に進められる。挿入孔３２に挿入された切り起こし部１３１には、割り刃３３ａが押し当てられる。割り刃３３ａは、切り起こし部１３１の先端部１３１ａに対して、切り起こし部１３１の表面１３１ｃと所定の角度αを有して押し当てられる。さらに、割り刃３３ａが切り起こし部１３１に押し込まれると、切り起こし部１３１の先端部１３１ａは、３つに分割される。このとき、割り刃３３ａと切り起こし部１３１の先端部１３１ａとが、所定の角度αを有しているため、割り刃３３ａは、取付方向１０２を軸として、切り起こし部１３１にひねり力を加えながら、先端部１３１ａを分割する。なお、所定の角度とは、切り起こし部１３１の表面１３１ｃに対して直交する角度は含まない。
【０１２１】
この結果、図６Ａから図６Ｃに示すように、切り起こし部１３１の先端部１３１ａが、３つに分割される。図６Ｂで示す直線Ｋは、図２Ｆで示した同心円５２の接線Ａと平行な位置関係にある。
【０１２２】
すなわち、分割された先端部１３１ａのうち、第１傾倒部１４１は、図２Ｆで示した同心円５２の接線Ａに対して斜めに曲げられる。同様に、第２傾倒部１４２は、図２Ｆで示した同心円５２の接線Ａに対して斜めに曲げられる。第１傾倒部１４１と第２傾倒部１４２とは、反対方向に倒される。具体的には、第１傾倒部１４１と第２傾倒部１４２とは、切り起こし部１３１の断面形状である長方形の中心３１ｂから外側に向けて倒される。この方向は、長方形の長辺３５方向の成分と、長方形の短辺３６方向の成分と、を含む。すなわち、第１傾倒部１４１と第２傾倒部１４２とは、長方形の長辺３５成分と、長方形の短辺３６成分とを合成した方向１０５に倒される。
【０１２３】
換言すれば、第１傾倒部１４１と第２傾倒部１４２とは、切り起こし部１３１が含む、長辺３５方向と、短辺３６方向に対して、挿入孔３２を保持する力を発揮する。
【０１２４】
よって、第１傾倒部１４１と第２傾倒部１４２とは、剛性を低下させることなく、エンドブラケット１とハウジング２とを結合できる。
【０１２５】
また、切り起こし部１３１の先端部１３１ａは、第１傾倒部１４１と第２傾倒部１４２との間に、非傾倒部４３を有する。非傾倒部４３の断面形状は、菱形、または、平行四辺形となる。
【０１２６】
ここで、図５、および、図６Ａから図６Ｃを用いて上述したかしめ加工が施された、本実施例における交流整流子電動機と、従来のかしめ加工が施された交流整流子電動機と、を比較した。
【０１２７】
図７に示すように、比較例として用いられる切り起こし部５３１は、割り刃５３３ａが切り起こし部５３１の先端部５３１ａに対して、表面５３１ｃと直交して押し当てられる。さらに、割り刃５３３ａが切り起こし部５３１に押し込まれると、切り起こし部５３１の先端部５３１ａは、３つに分割される。よって、比較例として用いられる切り起こし部５３１は、分割された先端部の両端に位置する第１傾倒部５４１と第２傾倒部５４２は、切り起こし部５３１の断面である長方形において、短辺３６方向に倒される。
【０１２８】
換言すれば、比較例として用いられる切り起こし部５３１の先端部５３１ａにおいて、
第１傾倒部５４１と第２傾倒部５４２は、回転軸５の軸心５ａを中心とする同心円５２の接線方向にのみ倒される。
【０１２９】
図８中、本実施例における交流整流子電動機の結果には、「実施例」と表示した。同様に、比較例である交流整流子電動機の結果には、「比較例」と表示した。
【０１３０】
本実施例における交流整流子電動機と、比較例である交流整流子電動機とは、次の３方向に振動を加えて、比較を行った。すなわち、振動は、１．軸方向、２．径方向、３．軸方向と径方向の両方向が含まれるトータル方向、である。
【０１３１】
図８に示した比較結果は、比較例に生じる振動を１００として、実施例に生じる振動の比率を示している。つまり、実施例に生じる振動が、対比較例以上の振動となった場合、図８中、１００以上で示される。また、実施例に生じる振動が、対比較例以下の振動となった場合、図８中、１００以下で示される。
【０１３２】
以下、１．軸方向に振動を加えた結果は、つぎのとおりである。すなわち、実施例は、比較例に対して、７５％程度の振動に抑制できた。
【０１３３】
２．径方向に振動を加えた結果は、つぎのとおりである。すなわち、実施例は、比較例に対して、８０％程度の振動に抑制できた。
【０１３４】
３．軸方向と径方向の両方向が含まれるトータル方向に振動を加えた結果は、つぎのとおりである。すなわち、実施例は、比較例に対して、７８％程度の振動に抑制できた。
【０１３５】
以上の結果から明らかなように、切り起こし部を分割する際、切り起こし部に押し当てる割り刃の角度を所定の角度に傾ける。よって、切り起こし部の先端部は、ひねり力が加えられながら、分割される。
【０１３６】
この結果、本実施例における交流整流子電動機は、１．軸方向、２．径方向、３．軸方向と径方向とを含むトータル方向のいずれにおいても、２０％以上の振動を抑制することができた。
【０１３７】
つまり、本実施例における交流整流子電動機は、ねじ等の部材を用いることなく、高い剛性を有する筐体を得ることができる。よって、本実施例における交流整流子電動機は、材料費を抑制するとともに、電機子が回転することに起因する振動を低減できる。
【実施例３】
【０１３８】
図９は、本発明の実施例３における電気機器を示す概念図である。
【０１３９】
後述する本実施例では、上述した実施例１と実施例２で説明した、交流整流子電動機１００を有する電動送風機２００と、この電動送風機２００を駆動する駆動部２０１と、を備える電気機器である電気掃除機３００について説明する。
【０１４０】
図９に示すように、電気機器である電気掃除機３００は、電動送風機２００と、駆動部２０１と、を備える。電動送風機２００は、実施例１および実施例２で説明した交流整流子電動機１００が用いられる。駆動部２０１は、電動送風機２００を駆動する駆動信号を送信する。
【０１４１】
電動送風機２００は、駆動部２０１から送信された駆動信号に従って、駆動される。電動送風機２００が駆動する際、交流整流子電動機１００には、振動が加えられる。このと
き、実施例１および実施例２で説明したように、本発明の実施例における交流整流子電動機１００は、振動を抑制できる。
【０１４２】
特に、電気機器は、電気掃除機３００で有用である。その他、同様の構造を有する電動送風機が搭載される電気機器であれば、同様の作用効果が期待できる。
【０１４３】
以上のように、本発明の交流整流子電動機は、ねじ等の部材を用いることなく、高い剛性を有する筐体を得ることができる。よって、本発明の交流整流子電動機は、材料費を抑制できる。また、本発明の交流整流子電動機は、電機子が回転することに起因する振動を低減できる。
【０１４４】
本発明の交流整流子電動機が搭載される電動送風機、および、この電動送風機が組み込まれる電気機器は、本発明の交流整流子電動機が奏する作用効果を享受できる。電気機器は、電気掃除機等が該当する。
【産業上の利用可能性】
【０１４５】
以上のように、本発明の交流整流子電動機を備えた電動送風機、および、この電動送風機を備えた電気機器に関するものであり、特に、電気掃除機等に有用である。
【符号の説明】
【０１４６】
１    エンドブラケット
１ａ    外周部
２    ハウジング
２ａ    開口部
２ｂ    胴部
４、４ａ、４ｂ    軸受保持部
５    回転軸
５ａ    軸心
５ｂ    出力軸
５ｃ    反出力軸
６    遠心ファン
８    ブリッジ部
９、９ａ、９ｂ    軸受
１０    エアガイド
１１    界磁鉄心
１２    界磁巻線
１３    界磁部
１４    電機子
１５    電機子鉄心
１６    ファンケース
１６ａ    吸気孔
２０    整流子
２１    ブラシ保持器
２２    電機子巻線
２３    通気孔
２４    底部
２５    ブラシ
２６    開口端
２７    摺動面
３１、３１ｄ、１３１、５３１    切り起こし部
３１ａ、１３１ａ、５３１ａ    先端部
３１ｂ    長方形の中心
３１ｃ、１３１ｃ、５３１ｃ    表面
３１ｅ    経路
３２、１３２、１３２ａ、２３２    挿入孔
３３、３３ａ、５３３ａ    割り刃
３５    長辺
３５ａ    第１長辺
３５ｂ    第２長辺
３６、１３６ａ、１３６ｂ    短辺
３７ａ、１３７ａ、２３７ａ    第１辺
３７ｂ、１３７ｂ、２３７ｂ    第２辺
３７ｃ    第３辺
４１、１４１、５４１    第１傾倒部
４２、１４２、５４２    第２傾倒部
４３    非傾倒部
５２    同心円
６０    ねじ
８１    孔部
１００    交流整流子電動機
１０１    筐体
１０２    取付方向
１０３    線分
１０４    線分１０３が最短となる方向
２００    電動送風機
２０１    駆動部
３００    電気掃除機（電気機器）
【図１】
2015136285.tif 000003
【図２Ａ】
2015136285.tif 000004
【図２Ｂ】
2015136285.tif 000005
【図２Ｃ】
2015136285.tif 000006
【図２Ｄ】
2015136285.tif 000007
【図２Ｅ】
2015136285.tif 000008
【図２Ｆ】
2015136285.tif 000009
【図３Ａ】
2015136285.tif 000010
【図３Ｂ】
2015136285.tif 000011
【図３Ｃ】
2015136285.tif 000012
【図３Ｄ】
2015136285.tif 000013
【図３Ｅ】
2015136285.tif 000014
【図４Ａ】
2015136285.tif 000015
【図４Ｂ】
2015136285.tif 000016
【図４Ｃ】
2015136285.tif 000017
【図５】
2015136285.tif 000018
【図６Ａ】
2015136285.tif 000019
【図６Ｂ】
2015136285.tif 000020
【図６Ｃ】
2015136285.tif 000021
【図７】
2015136285.tif 000022
【図８】
2015136285.tif 000023
【図９】
2015136285.tif 000024
【図１０】
2015136285.tif 000025